(57)【特許請求の範囲】
【請求項１】
光硬化型樹脂を含んでなり、光照射後硬化する光感受部と、
光照射後硬化しない非光感受部と、を備え、
前記非光感受部は、光硬化型樹脂と、該光硬化型樹脂を覆って遮光する遮光部材と、を含む光硬化型医療用固定材。
【請求項２】
前記非光感受部は、被装着体における凸部及び／又は可動部を被覆する、請求項１記載の光硬化型医療用固定材。
【請求項３】
前記光感受部と、前記非光感受部とは、異なる材料で構成されている、請求項１又は２に記載の光硬化型医療用固定材。
【請求項４】
上肢に装着され、
上腕骨部、橈骨部、及び尺骨部のうちの少なくとも何れか１つの部位の凸部及び／又は可動部に前記非光感受部が位置する、請求項１〜３の何れか１項に記載の光硬化型医療用固定材。
【請求項５】
下肢に装着され、
大腿骨部、膝蓋骨部、脛骨部、腓骨部、及び舟状骨部のうちの少なくとも何れか１つの部位の凸部及び／又は可動部に前記非光感受部が位置する、請求項１〜３の何れか１項に記載の光硬化型医療用固定材。
【請求項６】
体幹に装着され、
腸骨部及び／又は胸骨部の凸部及び／又は可動部に前記非光感受部が位置する、請求項１〜３の何れか１項に記載の光硬化型医療用固定材。
【請求項７】
被装着体に装着された状態の前記光硬化型医療用固定材の端部にも前記非光感受部を備える、請求項２〜６のいずれか１項に記載の光硬化型医療用固定材。
【請求項８】
光硬化型樹脂を含んでなり、光照射後硬化する光感受部と、光硬化型樹脂を含んでなり、光照射後硬化しない非光感受部とを含んで形成された固定材と、
前記非光感受部に含まれ、該非光感受部に含まれる光硬化型樹脂を覆って遮光する遮光部材と、
を備えた光硬化型医療用固定材セット。
【発明の詳細な説明】
【技術分野】
【０００１】
本発明は、光硬化型医療用固定材及び光硬化型医療用固定材セットに関する。より詳しくは、人や動物の骨折や捻挫等の治療又は予防を目的として、また、スポーツ等において、転倒や衝撃等から身体を保護することを目的とした光硬化型医療用固定材等に関する。
【背景技術】
【０００２】
従来、医療分野においては、骨折や捻挫等の治療等を目的として様々な外科用固定材が用いられている。外科用固定材としては、例えば、水硬化型の樹脂を基材に保持させた水硬化型医療用固定材が用いられてきている（例えば、特許文献１を参照）。特許文献１では、水硬化型医療用固定材が、水に対する耐性が強く、機械的強度も高いため、有用である旨記載されている。
【０００３】
また、光硬化型樹脂を基材に保持させた光硬化型医療用固定材が用いられることもある（例えば、特許文献２を参照）。特許文献２では、光硬化型医療用固定材が、水硬化型医療用固定材とは異なり、装着時に水を必要としないので、水により患部等を湿らしてしまうという懸念なく用いることが可能である旨記載されている。
【先行技術文献】
【特許文献】
【０００４】
【特許文献１】特開２００２−３２５７８５号公報
【特許文献２】ＷＯ２００６／０９０６０５号公報
【発明の概要】
【発明が解決しようとする課題】
【０００５】
しかしながら、骨折や捻挫等をして、従来の水硬化型医療用固定材や光硬化型医療用固定材等の固定材を、骨折や捻挫等をした部位又は矯正をした部位（以下、患部等と記す。）に装着した場合、固定材の装着部位は、筋委縮や筋拘縮等を起こしたり、関節の可動域が制限されたりする等の生体機能の低下が誘起されるという問題があった。そこで、本発明は、上記問題に鑑みてなされたものであり、患部等の固定をしつつ、当該固定による生体機能の低下を抑制できる医療用固定材を提供することを主目的とする。
【課題を解決するための手段】
【０００６】
上記課題を解決するため、本発明は、光硬化型樹脂を含んでなり、光照射後硬化する光感受部と、光照射後硬化しない非光感受部と、を有する光硬化型医療用固定材を提供する。
上記課題についてより詳述すると、従来、医療用固定材は、患部等を強固に固定することにより、骨折や捻挫等の回復を促すことができるものの、この強固な固定に伴い、リハビリ等の運動を抑制するため、結果として、筋委縮や筋拘縮を生じさせてしまうという問題があった。つまり、医療用固定材による固定は、「骨折や捻挫等の回復を促す」という有益な効果を得ることができるが、その一方で、「筋委縮や筋拘縮等」という問題が生じてしまうという、いわゆる二律背反の関係にある問題を抱えていた。
しかしながら、本発明では、「光硬化型」医療用固定材の「一部」である、（患部等に位置する）光感受部を選択的に硬化させることにより、患部等を固定し、「骨折や捻挫等の回復」を促すとともに、固定材のその他の部位（患部等以外の部位）を非硬化状態（柔らかい状態）とすることにより、リハビリ等の運動を可能とし、「筋委縮や筋拘縮」を予防する。
これにより、本発明は、二律背反の関係にあった「骨折や捻挫等の回復」と「筋委縮や筋拘縮の防止」を共に実現することができる。
前記非光感受部は、被装着体における凸部又は可動部を被覆してもよい。
この場合、前記光硬化型医療用固定材では、光照射により、患部等に位置する光感受部が選択的に硬化し、凸部及び／又は可動部に位置する非光感受部が選択的に非硬化状態となる。これにより、患部等の固定をしつつ、凸部に対する固定材の接触による痛みを低減したり、可動部に対する固定材の接触による動作の制限を抑制したりすることが可能である。
前記非光感受部は、光硬化型樹脂と、該光硬化型樹脂を覆って遮光する遮光部材と、を含んでいてもよい。
また、前記光感受部と、前記非光感受部とは、例えば、異なる材料で構成されていてもよい。この場合、前記非光感受部は、例えば、２以上の前記光感受部を連結し、長さを調整可能な部材で形成されていてもよい。
また、前記光硬化型医療用固定材は、上肢に装着され、上腕骨部、橈骨部、及び尺骨部のうちの少なくとも何れか１つの部位の凸部及び／又は可動部に前記非光感受部が位置するものであってもよい。
前記光硬化型医療用固定材は、下肢に装着され、大腿骨部、膝蓋骨部、及び脛骨部、腓骨部、及び舟状骨のうちの少なくとも何れか１つの部位の凸部及び／又は可動部に前記非光感受部が位置するものであってもよい。
前記光硬化型医療用固定材は、体幹に装着され、腸骨部及び／又は胸骨部の凸部及び／又は可動部に前記非光感受部が位置するものであってもよい。
前記光硬化型医療用固定材は、被装着体に装着された状態の前記光硬化型医療用固定材の端部にも前記非光感受部を備えていてもよい。
なお、ここでいう、凸部とは、人体において主に骨が突出して形成されている骨突起部又は腹圧等の圧力を逃すための、上肢、下肢、又は体幹に位置する部位を指す。
凸部として、上肢においては、上腕骨部、橈骨部、又は尺骨部が挙げられる。そして、上腕骨部としては、より具体的には、上腕骨内側上顆部や上腕骨外側上顆部等の上腕骨顆部又は肘頭部が挙げられる。また、橈骨部としては、より具体的には、橈骨茎状突起部が挙げられ、尺骨部としては、尺骨茎状突起部又は尺骨頭部、肘頭部が挙げられる。
また、凸部として、下肢においては、膝蓋骨部、大腿骨部、脛骨部、腓骨部、及び舟状骨部が挙げられる。そして、大腿骨部としては、より具体的には、大腿骨の内側顆部や大腿骨の外側顆部等の大腿骨顆部が挙げられる。また、脛骨部としては、より具体的には、脛骨の内側顆部又は外側顆部、内果、脛骨粗面が挙げられ、腓骨としては、外果が挙げられ、舟状骨部としては、舟状骨粗面部が挙げられる。
また、凸部として、体幹においては、腸骨部又は胸骨部が挙げられ、腸骨部としては、より具体的には、腸骨稜部が挙げられる。また、凸部として、体幹においては、腹部も挙げられる。
また、ここでいう、可動部とは、人体において動作させることが可能であって、上肢、下肢、又は体幹に位置する部位を指す。
可動部として、上肢においては、肘の関節部、手の関節部、手首の関節部、指の関節部が挙げられる。そして、肘の関節部としては、腕尺関節部、腕橈関節部、又は上橈尺関節部等の肘関節部が挙げられる。また、手の関節としては、より具体的には、橈骨手根関節部、手根間関節部、手根中央関節部、若しくは豆状骨関節部等の手根の関節部、指の関節部、より具体的には、手根中手関節部、母指の手根中手関節部、若しくは中手間関節部等の中手の関節、又は中手指節関節部や手の指節間関節部等の指の関節部が挙げられる。
また、可動部として、下肢においては、膝の関節部、足の関部節、足の指の関節部が挙げられる。そして、膝の関節部としては、より具体的には、膝関節部が挙げられ、足の関節部としては、距腿関節部、距骨下関節部、又はショパール関節部等の足関節部が挙げられる。
また、可動部として、体幹においては、腹部が挙げられる。
【０００７】
また、本発明は、光硬化型樹脂と、該光硬化型樹脂の一部を覆って遮光する遮光部材と、を備え、被装着体が装着した固定材に対する光照射後、前記遮光部材により覆われていない前記光硬化型樹脂を硬化し、且つ前記遮光部材により覆われており、前記被装着体における凸部及び／又は可動部に位置する前記光硬化型樹脂を硬化しない状態を維持した光硬化型医療用固定材を提供する。
【０００８】
また、本発明は、光硬化型樹脂を含んで形成された固定材と、前記光硬化型樹脂の少なくとも一部を覆うための遮光部材と、を備えた光硬化型医療用固定材セットも提供する。
【発明の効果】
【０００９】
以上説明したように本発明によれば、患部等の固定をしつつ、当該固定による生体機能の低下を抑制することができる。
【図面の簡単な説明】
【００１０】
【図１】人体の凸部又は可動部の具体例を説明するための説明図である。
【図２】本発明の第１実施形態に係る光硬化型医療用固定材を説明するための説明図である。
【図３】本発明の第１実施形態に係る光硬化型医療用固定材の構成を示す斜視図である。
【図４】本発明の第１実施形態に係る光硬化型医療用固定材を患者に装着する手順を説明するための説明図である。
【図５】本発明の第１実施形態の第１及び第２変形例に係る光硬化型医療用固定材を説明するための説明図である
【図６】本発明の第１実施形態の第３変形例に係る光硬化型医療用固定材を説明するための説明図である。
【図７】本発明の第１実施形態の第４及び第５変形例に係る光硬化型医療用固定材を患者に装着した状態を説明するための説明図である。
【図８】本発明の第２実施形態に係る光硬化型医療用固定材を患者に装着する手順を説明するための説明図である。
【図９】本発明の第２実施形態の第１及び第２変形例に係る光硬化型医療用固定材を患者に装着した状態を説明するための説明図である。
【図１０】本発明の第２実施形態の第３〜第５変形例に係る光硬化型医療用固定材を患者に装着した状態を説明するための説明図である。
【図１１】本発明の第２実施形態の第６変形例に係る光硬化型医療用固定材を患者に装着した状態を説明するための説明図である。
【図１２】本発明の第２実施形態の第７及び第８変形例に係る光硬化型医療用固定材を患者に装着した状態を説明するための説明図である。
【図１３】本発明の各実施形態で用いられる光硬化型樹脂における光照度に対する三点曲げ強度の測定結果を示すグラフである。
【発明を実施するための形態】
【００１１】
以下、本発明を実施するための好適な形態について、添付の図面を参照して詳細に説明する。なお、以下に説明する実施形態は、本発明の代表的な実施形態の一例を示したものであり、これにより本発明の範囲が狭く解釈されることはない。
【００１２】
まず、図１を参照しながら、後述する本発明の各実施形態に係る光硬化型医療用固定材を装着する人体Ｈについて説明する。以下、各実施形態では、光硬化型医療用固定材が装着される被装着体として人体Ｈを例に説明する。
【００１３】
図１は、人体Ｈの凸部Ｌ１、Ｌ２、Ｌ３、及び可動部Ｍ１、Ｍ２、Ｍ３、Ｍ４の具体例を説明するための説明図であり、人体Ｈの下肢Ｘ、上肢Ｙ、及び体幹Ｚを示す。
【００１４】
従来の医療用固定材を下肢Ｘの患部等及びその隣接部に装着し固定した際に、図１に示す果部Ｘ１、大腿骨顆部Ｘ３、又は膝蓋骨Ｘ４等の凸部Ｌ１が固定され、凸部Ｌ１の機能が低下する可能性がある。なお、ここでいう、機能の低下とは、例えば、筋委縮や筋拘縮等を生じたり、関節可動域が制限されたりすること等を指す。また、ここでいう、上記凸部とは、人体において主に骨が突出して形成されている骨突起部又は腹圧等の圧力を逃すための部位を指す。
【００１５】
また、上記医療用固定材を上肢Ｙの患部等及びその隣接部に装着し固定した際には、図１に示す上腕骨顆部Ｙ１、橈骨茎状突起部Ｙ２、又は尺骨茎状突起部Ｙ３等の凸部Ｌ２が固定され、凸部Ｌ２の機能が低下する可能性がある。また、その他に、手首の可動部Ｍ１、足首の可動部Ｍ２、足底の可動部Ｍ３、又は腹部の可動部Ｍ４（なお、腹部は凸部にもなりうる）等の周辺に、医療用固定材を装着した際にも、上記可動部の動作を制限してしまう可能性がある。なお、ここでいう、上記可動部とは、人体において動作させることが可能な部位を指す。
【００１６】
また、上記医療用固定材を体幹Ｚの患部等及びその隣接部に装着し固定した際に、図１に示す腸骨稜部における凸部Ｌ３が固定され、凸部Ｌ３の機能が低下する可能性がある。
【００１７】
この点、以下に詳述する本発明に係る光硬化型医療用固定材は、鋭意検討により完成されたものであり、患部等の固定をしつつ、当該固定による生体機能の低下を抑制することができるようにされたものである。
【００１８】
なお、上述した従来の医療用固定材により生体機能が低下されうる凸部又は可動部としては、上述した例に限られず、以下の表１又は表２に記載の部位も挙げられる。ここで、表１は、上肢Ｙ、下肢Ｘ、及び体幹Ｚにおける凸部の具体例を示した表である。凸部としては、上肢Ｙ、下肢Ｘ、又は体幹Ｚにおける骨の部位が主に挙げられる。また、表２は、上肢Ｙ、下肢Ｘ、及び体幹Ｚにおける可動部の具体例を示した表である。可動部としては、上肢Ｙ、下肢Ｘ、又は体幹Ｚにおける関節の部位が主に挙げられる。このように、以下に詳述する本発明に係る光硬化型医療用固定材により被覆される凸部又は可動部としては、表１又は表２に示される部位も含まれる。
【００１９】
ここで、表１及び表２の見方として、表１においては、例えば、上腕骨内側上顆部は、上肢において、上腕骨として大分類されたもののうち、更に上腕骨顆部として中分類されたものの中で、小分類されたもののうちの一つを指す。同様に、例えば、表２において、橈骨手根関節部は、上肢において、手の関節として大分類されたもののうち、更に手根の関節として中分類されたものの中で、小分類されたもののうちの一つを指す。
【００２０】
【表１】
0005945842.tif 000002
【００２１】
【表２】
0005945842.tif 000003
【００２２】
ここでは、まず、図２〜図４を参照しながら、本発明の第１実施形態に係る光硬化型医療用固定材１Ａについて説明する。図２は、本実施形態に係る光硬化型医療用固定材１Ａの模式図である。図３（Ａ）は、本実施形態に係る光硬化型医療用固定材１Ａの光感受部１０の構成を示す斜視図である。図３（Ｂ）は、本実施形態に係る光硬化型医療用固定材１Ａの非光感受部１５の構成を示す斜視図である（なお、図３（Ａ）及び（Ｂ）では、各構成の説明のために、図２における一部分（後述する光感受部１０Ａが位置する部分）のみを示しており、光感受部１０Ａをカバー材３００Ａ、３００Ｂから露出させた状態のものを示している。）。図４は、本実施形態に係る光硬化型医療用固定材１Ａを下肢Ｘに装着する手順を説明するための説明図である。なお、以下、各実施形態で参照する各図面において、実質的に同一の機能構成を有するものについては、同一の符号を付して重複した説明を省略する。
【００２３】
光硬化型医療用固定材１Ａは、スプリント材として、下肢Ｘ等に装着され、患部等の固定又は支持をするために用いられる。図２に示す光硬化型医療用固定材１Ａは、光硬化型樹脂を含んでなり、光照射後硬化する光感受部と、光照射後硬化しない非光感受部と、を備えている。つまり、光硬化型医療用固定材１Ａは、光照射後硬化する光感受部１０と、光照射後硬化しない非光感受部１５とを主に有する。
【００２４】
まず、光硬化型医療用固定材１Ａの構成を詳述する前提として、光感受部１０と非光感受部１５について説明する（図３（Ａ）、図３（Ｂ）参照）。図３（Ａ）に示すように、光感受部１０は、光硬化型樹脂１００と、基材２００とを有する。また、光感受部１０は、人体に装着された際に上記光感受部１０の患部等側を覆うカバー材３００Ａと、当該患部等側と向かい合う側から光感受部１０を覆うカバー材３００Ｂとを有する。更に、カバー材３００Ａの上記患部等側には、緩衝材４００が設けられる。光感受部１０は、光を照射することにより硬化する。光感受部１０を硬化する光の光源は、後述する光重合開始剤の吸収波長の光を出す光源（例えば、可視光や４００ｎｍ以下の波長を出す光源等）であればよい。
【００２５】
図３（Ｂ）に示すように、非光感受部１５は、光硬化型樹脂１００と、該光硬化型樹脂１００を覆って遮光する遮光部材１５０と、を含んでいる。より具体的には、非光感受部１５は、（上記した光感受部１０にも用いられている）光硬化型樹脂１００と、基材２００と、カバー材３００Ａ、カバー材３００Ｂ、緩衝材４００とを有し、更に光硬化型樹脂１００を遮光する遮光部材１５０を有する。すなわち、非光感受部１５は、光硬化型樹脂１００を遮光部材１５０により遮光したものであり、遮光部材１５０により覆われている点で光感受部１０と異なる。
【００２６】
非光感受部１５に含まれる光硬化型樹脂１００は、遮光部材１５０により遮光されているため、光照射後も硬化せず、光感受部１０に含まれる光硬化型樹脂１００よりも低い硬度を有する。つまり、非光感受部１５は、光感受部１０と異なり、光照射後も変形することが可能なものである。よって、非光感受部１５が光照射後も非硬化状態を保ちつつ、光感受部１０は光照射後に硬化するため、非光感受部１５が後述する図４に示す果部Ｘ１及び足底部Ｍ３を覆うことで、光硬化型医療用固定材１Ａが果部Ｘ１及び足底部Ｍ３を固定することを防止可能になる。
【００２７】
なお、光感受部１０に含まれる光硬化型樹脂と、非光感受部１５に含まれる光硬化型樹脂とは、同一の符号１００を付して説明しているが、光感受部１０と非光感受部１５とは、必ずしも同一の光硬化型樹脂を含んでいなくてもよい。
【００２８】
また、図３（Ａ）及び図３（Ｂ）では、説明のために、基材２００上に光硬化型樹脂１００が積層されている例を示しているが、本実施形態は当該例に限定されない。例えば、光硬化型樹脂１００は基材２００によって保持されていてもよい。なお、ここでいう、「保持する」こととは、例えば、含浸、積層、貼付、塗付すること等が挙げられる。
【００２９】
本実施形態に係る基材２００は、６層に積層された構造を有している。なお、積層構造については、例えば、より薄型の５層もしくはそれ以下の薄型の積層構造でもよいし、もしくは、逆に、より厚型の７層もしくはそれ以上の厚型の積層構造でもよい。
【００３０】
次に、光硬化型医療用固定材１Ａの構成を説明した上で、光硬化型医療用固定材１Ａを構成する光硬化型樹脂１００、遮光部材１５０、基材２００、カバー材３００Ａ、３００Ｂ、緩衝材４００についてより詳細に説明する。
【００３１】
図２に示すように、上記光感受部１０は、光感受部１０Ａ、光感受部１０Ｂの２つの部位から構成される。また、非光感受部１５は、非光感受部１５Ａ、非光感受部１５Ｂ、及び非光感受部１５Ｃの３つの部位から構成される。非光感受部１５Ａは、光感受部１０Ａ、１０Ｂに連結して設けられている。
【００３２】
後述する図４に示すように、光感受部１０Ａ及び光感受部１０Ｂが、下肢Ｘにおいて、果部Ｘ１と足底部Ｍ３との間の位置を覆う。そして、非光感受部１５は、被装着体における凸部及び／又は可動部を被覆する。光硬化型医療用固定材１Ａは、下肢に装着され、果部Ｘ１の凸部及び／又は可動部に非光感受部１５が位置する。より具体的には、非光感受部１５Ａが足底部Ｍ３を覆い、非光感受部１５Ｂ及び１５Ｃが果部Ｘ１を覆う。
【００３３】
なお、光硬化型医療用固定材１Ａが人体の下肢Ｘを覆うことを鑑み、人体のサイズに応じて適宜光硬化型医療用固定材１Ａの寸法については調整することが可能である。
【００３４】
光感受部１０及び非光感受部１５に含まれる光硬化型樹脂１００は、光照射により硬化する樹脂である。光硬化型樹脂１００としては、感光性樹脂、光重合開始剤等のその他の成分を含有している。
【００３５】
感光性樹脂としては、例えば、光照射により架橋し得る感光性基を有する樹脂がある。具体的には、例えば、アクリル酸エステル、メタクリル酸エステル等を有するアクリル系の光硬化性の樹脂、光ラジカル付加型および光カチオン重合型の樹脂等が挙げられる。また、光重合開始剤としては、光照射により、ラジカルもしくはカチオンを生成する物質であればよい。また、必要に応じて光増感剤等の成分を含有していてもよい。
【００３６】
光硬化型樹脂１００としては、特に限定されるものではないが、例えば、イソシアネート基を２つ有するポリイソシアネートと活性水素基を有する（メタ）アクリル酸誘導体によって得られるウレタン系（メタ）アクリル酸誘導体オリゴマーと、４００〜７００ｎｍの光を吸収するチタノセン系光重合開始剤を含む光硬化型樹脂を使用可能である（詳細については、ＷＯ２００６／０９０６０５号公報参照。）。
【００３７】
光硬化型樹脂１００には、必要に応じて更に種々の成分を配合することができる。例えば、安定剤（貯蔵中にゲル化を防止し、貯蔵安定性を維持するための添加剤）を配合することができる。重合禁止剤、酸化防止剤、タックフリー化剤、チキソトロピー性付与剤、シランカップリング剤、界面活性剤、光増感剤、有機または無機微粒子などがある。
【００３８】
光硬化型医療用固定材１Ａの人体への装着後に光感受部１５を光照射により硬化させ、患部等の固定を十分なものとしつつ装着性を良好なものとするためには、光硬化型樹脂１００の３点曲げ強度については、２０〜１２０Ｎ／ｃｍであることが好ましく、より好ましくは、３０〜１２０Ｎ／ｃｍである。なお、第２実施形態に係る光硬化型医療用固定材として、後述するキャスト材に含まれる光硬化型樹脂についても、同等の３点曲げ強度を有する。
【００３９】
非光感受部１５において遮光部材１５０は、光硬化型樹脂１００を遮光する部材である。遮光部材１５０は、要は、人体Ｈに装着後、光硬化型樹脂１００を遮光するものであればよく、例えば、金属薄膜、金属固着フィルム、不透明着色フィルム、顔料・染料等が塗工されているフィルム等の薄膜とすることが可能である。なお、遮光部材１５０は、人体Ｈへの装着前に光硬化型医療用固定材１Ａに取り付けられていてもよいし、人体Ｈへの装着時に光硬化型医療用固定材１Ａに取り付けられてもよい。
【００４０】
遮光部材１５０の厚みについては、人体Ｈへの光硬化型医療用固定材１Ａの装着後、遮光部材１５０が人体の運動の妨げとならず、且つ光硬化型樹脂１００を遮光可能なものにするという観点から０．０１〜５ｍｍ程度であることが好ましい。より好ましくは、上記厚みは０．０１〜１ｍｍ程度である。
【００４１】
基材２００は、光硬化型医療用固定材１Ａを形成するために光硬化型樹脂１００を保持する部材である。基材２００としては、各種の繊維を使用した織物、編物、不織布等が使用できる。その繊維としては、天然繊維、化学繊維が使用でき、例えば、綿、毛、レーヨン、ポリアミド繊維、ポリエステル繊維、アクリル繊維、ポリオレフィン繊維、ガラス繊維、カーボン繊維、その他の繊維がある。基材２００の厚みについては、３〜２５ｍｍ程度であることが好ましく、より好ましくは、５〜１５ｍｍ程度である。
【００４２】
カバー材３００Ａ、３００Ｂは、光を透過し、且つ、光硬化型樹脂１００の患部等に対して水平方向の側面を覆い、硬化前の光硬化型樹脂１００が流動して、光硬化型医療用固定材１Ａの内部から漏れ出すことを防止するための樹脂止め用部材である（図３（Ａ）及び図３（Ｂ）参照）。なお、カバー材３００Ａ、３００Ｂは、光硬化型樹脂１００が浸透して表面に出ずに、光硬化型樹脂１００と非反応性であることが好ましい。
【００４３】
上記カバー材３００Ａ、３００Ｂとして、光を透過するフィルムを使用することもできる。材料としては、ポリエステル系、例えば、ポリプロピレン（ＰＰ）やポリエチレン（ＰＥ）等のポリオレフィン系、ポリ塩化ビニル系、ナイロン、ポリウレタン等を使用できる。なお、カバー材は、上記した編み物、織物、不織布、シートなどと併用してもよい。また、カバー材が患部に対して垂直方向に複数設けられてもよい。
【００４４】
緩衝材４００は、光硬化型医療用固定材１Ａの人体への接触による緩衝性を有するものである。また、緩衝材４００は、適度な通気性を有し、硬化時における光硬化型樹脂１００の反応熱が患部等の側へ伝わりにくく、患部等の形状に追随して変形しやすく、成形性の良いものがよい。緩衝材４００として、例えば、ポリエステル系等の繊維、不織布、発泡体、ネオプレンゴム等を用いることもできる。上記緩衝材４００は複層にしてもよいし、患部と反対側にも設けてもよい。
【００４５】
次に、本実施形態に係る光硬化型医療用固定材１Ａの作用効果を説明する。図４を参照しながら、上述した光硬化型医療用固定材１Ａを人体Ｈに装着する手順を説明しつつ、光硬化型医療用固定材１Ａの作用効果を詳述する。
【００４６】
図４に示すように、ここでは、本実施形態に係る光硬化型医療用固定材１Ａが下肢Ｘに装着される場合を例に説明する（図４（Ａ）参照）。下肢Ｘに対し、光透過性を有さない包装材等から取り出された光硬化型医療用固定材１を装着する（図４（Ｂ）参照）。図４（Ｂ）に示すように、光感受部１０Ａ及び光感受部１０Ｂが下肢Ｘの足底部Ｍ３と果部（より具体的には、内果、外果）Ｘ１の上から装着する。
【００４７】
次に、光硬化型医療用固定材１Ａの足底部Ｍ３の位置に遮光部材１５０を取り付け、非光感受部１５Ａが形成される（図４（Ｃ）参照）。また、光硬化型医療用固定材１Ａの果部Ｘ１の位置に遮光部材１５０が取り付けられ、非光感受部１５Ｂ及び非光感受部１５Ｃが形成される。
【００４８】
なお、遮光部材１５０の取り付けについては、光硬化型医療用固定材１Ａへの遮光部材１５０の巻き付けや貼り付け等、任意の方法を採用することが可能である。また、上記実施形態においては、光硬化型医療用固定材１Ａを装着した後に、遮光部材１５０を光硬化型医療用固定材１Ａに取り付ける場合を例に説明したが、光硬化型医療用固定材１Ａでは、光硬化型医療用固定材１Ａを人体Ｈに装着する前に、予め遮光部材１５０が光硬化型医療用固定材１Ａに取り付けられていてもよい。
【００４９】
次に、光硬化型医療用固定材１Ａに光５００を照射する（図４（Ｄ）参照）。光照射により、光感受部１０Ａ、光感受部１０Ｂは硬化する。一方で、非光感受部１５Ａ、１５Ｂ、１５Ｃは、光照射後も非硬化状態を保つ。そのため、光硬化型医療用固定材１Ａでは、果部Ｘ１（凸部）及び足底部Ｍ３（可動部）を固定することが防止可能になる。
【００５０】
このように、光硬化型医療用固定材１Ａによれば、光感受部１０で下肢Ｘを固定しつつ、果部Ｘ１（凸部）及び足底部Ｍ３（可動部）に位置する非光感受部１５を硬化させないようにすることができる。
【００５１】
そのため、光硬化型医療用固定材１Ａでは、果部Ｘ１（凸部）及び足底部Ｍ３（可動部）にかかる圧力を分散することができ、光硬化型医療用固定材１Ａを装着した人は光硬化型医療用固定材１Ａを装着していない場合と同等の状態で歩行等の運動をすることができる。特に、可動部となる足底部Ｍ３については、下肢Ｘの動作を可能なものとし、適宜リハビリテーションを実行することができる。即ち、光硬化型医療用固定材１Ａでは、患部等を固定し、「骨折や捻挫等の回復」を促すとともに、固定材のその他の部位を非硬化状態とすることにより、リハビリ等の運動を可能とし、「筋委縮や筋拘縮」を予防することができる。すなわち、光硬化型医療用固定材１Ａでは、「骨折や捻挫等の回復」と「筋委縮や筋拘縮の防止」という二律背反の関係を解消することができる。
【００５２】
患部等のリハビリテーションにおいて可動させる場合に、凸部である果部Ｘ１について光硬化型医療用固定材１Ａが接触することによる痛みを低減することが可能になる。また、光硬化型医療用固定材１Ａを下肢Ｘに装着した際に足底部Ｍ３を柔軟な状態に保つことは、捻挫した患者に有効となる。
【００５３】
また、光硬化型医療用固定材１Ａでは、非光感受部１５が非硬化状態を維持するため、光硬化型医療用固定材１Ａを患部等及びその隣接する部位に十分に固定することができる。そのため、光硬化型医療用固定材１Ａでは、凸部の痛みを低減しつつ、凸部となる果部Ｘ１と光硬化型医療用固定材１Ａとの装着性を向上させることができる。特に、光硬化型医療用固定材１Ａでは、人体と装具との間に空気層を存在させずに固定することが可能であるため、人体と装具との間に空気を注入する固定材に比べ、固定力を非常に高度なものとすることができる。
【００５４】
更に、図４においては図示しなかったが、光硬化型医療用固定材１Ａを下肢Ｘに装着する際に、光硬化型医療用固定材１Ａの下地として靴下等を下肢Ｘに着用させることも可能である。下肢Ｘに靴下等を着用した状態で光硬化型医療用固定材１Ａを装着することで、下肢Ｘに対する衝撃性をより緩和しつつ、良好な装着感を得ることができる。
【００５５】
また、光硬化型医療用固定材１Ａを下肢Ｘに装着する際に、果部Ｘ１を柔軟にすることで、装着感を良好にすると共に、果部Ｘ１（凸部）に別途緩衝性を有するパッド等を装着することが不要となる。
【００５６】
以上説明したように、本実施形態に係る光硬化型医療用固定材１Ａでは、患部等の固定をしつつ、当該固定による生体機能の低下を抑制することができる。
【００５７】
なお、光感受部の形状は上記実施形態に限らず、図５（図５（Ａ）、図５（Ｂ））に示すような他の公正を用いてもよい。図５（Ａ）は、本発明の第１実施形態の第１変形例に係る光硬化型医療用固定材１Ｂの模式図である。図５（Ｂ）は、本発明の第１実施形態の第２変形例に係る光硬化型医療用固定材１Ｃの模式図である。
【００５８】
例えば、図５（Ａ）に示すような光感受部１０Ａ及び光感受部１０Ｂに対して、夫々光感受部１１Ａ及び光感受部１１Ｂが屈曲した部位を構成する光感受部１１を有する光硬化型医療用固定材１Ｂでもよい。これにより、全体として非光感受部１６のうち非光感受部１６Ａが突出して凸形状を成すように形成される。光硬化型医療用固定材１Ｂでは、このような形状を有することで、非光感受部１６Ａが、足底部Ｍ３（可動部）において土踏まずの部位を覆うことが可能になる。これにより、光硬化型医療用固定材１Ｂでは、特に、下肢Ｘに装着した際に非光感受部１６Ａが土踏まずの部位を覆われており、足底部Ｍ３が柔らかいため、非光感受部１６Ａが足底部Ｍ３にフィットした形状となり、結果として、地面と接地する足底部Ｍ３全体の面積が裸足の状態に近くなり、装着者は安定した通常の歩行を行うことができる。
【００５９】
また、図５（Ｂ）に示すように、非光感受部１７のうち図５（Ａ）の非光感受部１６Ａの部位に遮光部材１５０が覆われておらず、光感受部１２の一部として光感受部１２Ｃが形成されている光硬化型医療用固定材１Ｃでもよい。光硬化型医療用固定材１Ｃでは、下肢Ｘに装着された場合に足底部Ｍ３（可動部）に位置する部位が光感受部１２Ｃである。すなわち、光硬化型医療用固定材１Ｃでは、光照射により足底部Ｍ３を硬化することが可能になる。
【００６０】
このように、光硬化型医療用固定材１Ｃでは、下肢Ｘに装着した際に足底部Ｍ３を硬化し、果部Ｘ１（凸部）を非硬化とするため、特に骨折をした患者に有効に用いられる。
【００６１】
また、非光感受部についても、上記実施形態に限らず、例えば、図６に示すような（上記実施形態における）非光感受部１５Ａに代わり非光感受部２５Ａを設けてもよい。図６（Ａ）は、本発明の第１実施形態の第３変形例に係る光硬化型医療用固定材２Ａの模式図である。図６（Ｂ）は、本変形例に係る光硬化型医療用固定材２Ａを下肢Ｘに装着した状態を説明するための説明図である。
【００６２】
この場合における、非光感受部２５は、非光感受部２５Ａ、非光感受部１５Ｂ、及び非光感受部１５Ｃの３つの部位から構成され、光感受部２０は、光感受部１０Ａ及び光感受部１０Ｂの２つの部位から構成される。光硬化型医療用固定材２Ａは、図６（Ｂ）に示すように、下肢Ｘに装着される。光感受部１０Ａ、１０Ｂが脛部を覆い、非光感受部１５Ｂ、１５Ｃが果部Ｘ１（凸部）を覆い、非光感受部２５Ａが足底部Ｍ３（可動部）を覆う。光硬化型医療用固定材２Ａを下肢Ｘに装着した際に足底部Ｍ３（可動部）を柔軟な状態に保つことは、患者が捻挫した場合に有効となる。
【００６３】
図６（Ａ）に示す非光感受部２５Ａは、光照射後硬化しないものであり、光感受部２０とは異なる材料で構成されている。また、非光感受部２５は、２つの光感受部１０Ａ、１０Ｂを連結し、長さを調整することで、光感受部１０Ａと光感受部１０Ｂとの間隔を調整することが可能なものである。これにより、光硬化型医療用固定材２Ａでは、非光感受部２５Ａの長さを調整することができ、光感受部１０Ａと光感受部１０Ｂとの間隔を調整することが可能になる。すなわち、光硬化型医療用固定材２Ａでは、足底部Ｍ３（可動部）に位置する部分の長さを調整することが可能になり、種々のサイズの下肢Ｘに対応させることができる。
【００６４】
なお、非光感受部２５Ａの構成としては、特に限定されるものではなく、例えば、面ファスナーとすることが可能である。また、非光感受部２５Ａとしては、ゴムベルト等の弾性体とすることも可能である。また、図示しないが、長さを調整することが可能であれば、非弾性体で形成されていてもよい。この場合、非光感受部２５Ａとしては、例えば、２つの部材から形成されるものであって、一方の部材にボタンが取り付けてあり、他方の部材に複数のボタン孔が設けられているものが挙げられる。非光感受部２５Ａがこのようなボタンを有する部材であることで、ボタンの取り付け位置を調整することで、長さを調整することが可能になる。
【００６５】
なお、光感受部の形状は上記実施形態に限らず、図７に示すように、光感受部を他の形状としてもよい。図７（Ａ）は、本発明の第１実施形態の第４変形例に係る光硬化型医療用固定材２Ｂを下肢Ｘに装着した状態を説明するための説明図である。本変形例に係る光感受部２１を構成する光感受部２１Ａ、２１Ｂは、平面から見た形状が、いわゆる略Ｌ字形状又は略Ｊ字形状であり、下肢Ｘの側部（果部の上側）のみならず足の甲に近接する部位についても被覆されている。これにより、光硬化型医療用固定材２Ｂでは、光照射により側部のみならず、足の甲に近接する部位についても硬化しつつ、果部Ｘ１（凸部）及び足底部Ｍ３（可動部）を硬化させないようにすることができる。
【００６６】
また、図７（Ｂ）に示すように、足の甲及び踵部に位置する部位に、非光感受部２７Ｄ、非光感受部２７Ｅを設けてもよい。図７（Ｂ）は、本発明の第１実施形態の第５変形例に係る光硬化型医療用固定材２Ｃを下肢Ｘに装着した状態を説明するための説明図である。本変形例に係る光硬化型医療用固定材２Ｃでは、踵部及び足の甲に位置する部位は、非光感受部２７Ｄ、２７Ｅで覆われている。すなわち、踵部及び足の甲に位置する部位が、夫々遮光部材１５０により覆われている。また、上述した第３変形例に係る光硬化型医療用固定材２Ａと同様に、ベルクロ等から構成される非光感受部２５Ａが足底部Ｍ３（可動部）を覆い、果部Ｘ１（凸部）を非光感受部１５Ｂ、１５Ｃが覆う。これにより、光硬化型医療用固定材２Ｃでは、踵部及び足の甲も含めた凸部及び可動部を柔軟な状態にするため、患部等の固定をしつつ、当該固定による生体機能の低下をより精度良く抑制することができる。
【００６７】
次に、図８を参照しながら、本発明の第２実施形態に係る光硬化型医療用固定材３Ａについて説明する。図８は、本実施形態に係る光硬化型医療用固定材３Ａを下肢Ｘに装着する手順を説明するための説明図である。
【００６８】
ここで、まず、光硬化型医療用固定材３Ａの構成を説明するために、図８中、下肢Ｘに光硬化型医療用固定材３Ａを装着し、光照射をした図である図８（Ｄ）を参照する。図８（Ｄ）に示す光硬化型医療用固定材３Ａは、足関節周辺の骨折、捻挫や、下腿骨骨幹部、遠位端骨折等において、キャスト材として、下肢に装着され、患部等の固定又は支持するために用いられる。図８（Ｄ）に示すように、光硬化型医療用固定材３Ａは、光硬化型樹脂１００を含んでなり、光照射後硬化する光感受部３０と、光照射後硬化しない非光感受部３５Ａ、３５Ｂ、３５Ｃとを主に有する。
【００６９】
光感受部３０は、光照射により硬化する。光感受部３０は光硬化型樹脂１００を含んでなる。また、光硬化型医療用固定材３０は、光硬化型樹脂１００を保持する帯状に形成された基材２００を含んでいてもよい。光硬化型樹脂１００については、上述した第１実施形態に係る光硬化型医療用固定材１Ａで用いられる樹脂と同様の樹脂を用いることが可能である。また、基材２００についても上述した第１実施形態に係る光硬化型医療用固定材１Ａで用いられる基材と同様の基材を用いることが可能である。
【００７０】
非光感受部３５Ａ、３５Ｂ、３５Ｃは、光照射後も硬化しない。すなわち、光照射により、非光感受部３５Ａ、３５Ｂ、３５Ｃは、光感受部３０よりも低い硬度を有する。また、非光感受部３５Ａ、３５Ｂ、３５Ｃは、光照射後も変形することが可能である。非光感受部３５Ａ、３５Ｂ、３５Ｃは、光硬化型樹脂１００及び基材２００を含んでなり、更に光硬化型樹脂１００を覆って遮光する遮光部材１５０を含む。なお、遮光部材１５０については、アルミ箔からなるシール等を用いる場合には、光硬化型医療用固定材３Ａに対する巻き付けに限られず、貼り付けること等も可能である。非光感受部３５Ａ、３５Ｂ、３５Ｃに含まれる光硬化型樹脂１００及び基材２００は、光感受部３５Ａ、３５Ｂ、３５Ｃに含まれる光硬化型樹脂１００及び基材２００と同一のものとすることが可能である。また、遮光部材１５０については、上述した第１実施形態に係る光硬化型医療用固定材１Ａで用いられる遮光部材１５０と同様のものを用いることが可能である。
【００７１】
次に、第２実施形態に係る光硬化型医療用固定材３Ａの作用効果を説明する。図８を参照しながら、上述した光硬化型医療用固定材３Ａを人体に装着する手順について説明しつつ、光硬化型医療用固定材３Ａの作用効果を説明する。
【００７２】
図８に示すように、ここでは、本実施形態に係る光硬化型医療用固定材３Ａが下肢Ｘに装着される場合を例に説明する（図８（Ａ）参照）。図８（Ａ）に示すように、下肢Ｘには、予め皮膚の保護材として下巻材を装着しておいてもよい。上記下肢Ｘに対して、光透過性を有さない包装材等から取り出された光硬化型医療用固定材３Ａが巻き付けられ（図８（Ｂ）参照）、この光硬化型医療用固定材３Ａに対して、遮光部材１５０が非光感受部３５Ａ、３５Ｂ、３５Ｃとするべき位置に巻き付けられる（図８（Ｃ）参照）。本実施形態に係る非光感受部３５Ａは、下肢Ｘの足関節部位（可動部）に位置する。また、非光感受部３５Ｂは、下肢Ｘの膝関節の下部（可動部）に位置する。
【００７３】
次に、光硬化型医療用固定材３Ａに光が照射される（図８（Ｄ）参照）。光照射により、光感受部３０は硬化する。一方で、遮光部材１５０が巻き付けられた非光感受部３５Ａ、３５Ｂは、光照射後も非硬化状態を保つ。そのため、足関節及び膝関節（可動部）を固定することを防止することが可能になる。また、本実施形態では、光硬化型医療用固定材３Ａにおいて、下肢Ｘに装着された際に、光硬化型医療用固定材３Ａの端部となる部位の領域に、遮光部材１５０が巻き付けられた非光感受部３５Ｃが設けられており、この非光感受部３５Ｃは、光照射後も非硬化状態を保つ。また、図８（Ｄ）に示すように、非光感受部３５Ｃが覆う部位についても上記端部の一例となりうる。このように、上記端部を光照射後も非硬化とすることにより、上記端部が人体に接触することによる痛みが発生することを防止する。
【００７４】
このように、光硬化型医療用固定材３Ａによれば、光感受部３０により下肢Ｘを固定しつつ、足関節（可動部）、膝関節の下部（可動部）、及び光硬化型医療用固定材３Ａの端部に位置する非光感受部３５Ａ、３５Ｂ、３５Ｃを硬化させないようにすることができる。
【００７５】
そのため、可動部となる足関節及び膝関節の動作を制限してしまうことを抑制でき、光硬化型医療用固定材３Ａを装着された人は光硬化型医療用固定材３Ａを装着していない場合と同等の状態で歩行をすることができる。特に、足関節の動作を可能なものとし、適宜リハビリテーションを実行することができる。
【００７６】
また、患部等のリハビリテーションにおいて可動させる場合に、凸部ともなる膝関節の下部について光硬化型医療用固定材３Ａが接触することによる痛みを低減することが可能になる。
【００７７】
以上説明したように、本実施形態に係る光硬化型医療用固定材３Ａでは、患部等の固定をしつつ、当該固定による生体機能の低下を抑制することができる。より具体的には、光硬化型医療用固定材３Ａでは、患部等を固定し、「骨折や捻挫等の回復」を促すとともに、光硬化型医療用固定材３Ａの患部等以外の部位（非光感受部３５Ａ、３５Ｂ、３５Ｃ）を非硬化状態（柔らかい状態）とすることにより、リハビリ等の運動を可能とし、「筋委縮や筋拘縮」を予防することができる。すなわち、光硬化型医療用固定材３Ａでは、「骨折や捻挫等の回復」と「筋委縮や筋拘縮の防止」という二律背反の関係を解消することができる。
【００７８】
なお、あえて図示はしないが、足底部（可動部）、踵部（凸部）に位置する部位等にも遮光部材１５０を取り付け、光照射によって非硬化状態を保つことも可能である。この場合、例えば、下巻材が劣化してきた際に光硬化型医療用固定材３Ａが足底部、踵部に接触しても痛みが出ることを抑制することができる。
【００７９】
なお、上述したような、いわゆるキャスト材の形状については上記実施形態に限らず、図９に示すような他の構成でもよい。図９（Ａ）は、第２実施形態の第１変形例に係る光硬化型医療用固定材３Ｂを患者に装着した状態を説明するための説明図である。図９（Ｂ）は、第２実施形態の第２変形例に係る光硬化型医療用固定材３Ｃを患者に装着した状態を説明するための説明図である。
【００８０】
例えば、図９（Ａ）に示すように、膝関節周辺の骨折、大腿骨遠位端骨折、脛骨近位端骨折等の際に、大腿ギプスとして用いられる光硬化型医療用固定材３Ｂでもよい。光硬化型医療用固定材３Ｂは、下肢Ｘの広範囲に渡って覆うように装着され、患部等の固定又は支持をするために用いられる。
【００８１】
光硬化型医療用固定材３Ｂでは、光照射により、膝関節周辺（可動部）に位置する非光感受部３６Ａ、３６Ｂを非硬化状態に保ち、光硬化型医療用固定材３Ｂにおける非光感受部３６Ａ、３６Ｂ以外の部位となる光感受部３１は硬化し患部等を固定する。これにより、膝関節の動作を制限してしまうことを抑制でき、光硬化型医療用固定材３Ｂを装着した人は光硬化型医療用固定材３Ｂを装着していない場合と同等の状態で歩行をすることができる。
【００８２】
また、図９（Ｂ）に示すように、膝関節の捻挫、膝蓋骨の骨折等の際に、シリンダーキャストとして、下肢Ｘに装着され、患部等の固定又は支持をするために用いられる光硬化型医療用固定材３Ｃでもよい。
【００８３】
光硬化型医療用固定材３Ｃでは、光照射により、膝関節周辺に位置する非光感受部３７Ａ、３７Ｂ（それぞれ、大腿骨顆（凸部）、膝蓋骨（凸部）に相当する位置）、足関節周辺に位置する非光感受部３７Ｃ（距腿関節に相当する位置）を非硬化状態に保つ。これに対し、光硬化型医療用固定材３Ｃにおける（非光感受部３７Ａ、３７Ｂ以外の部位となる）光感受部３２は、硬化し患部等を固定する。そのため、可動部となる足関節及び膝関節の動作を制限してしまうことを抑制でき、光硬化型医療用固定材３Ｃを装着された人は光硬化型医療用固定材３Ｃを装着していない場合と同等の状態で歩行をすることができる。
【００８４】
また、図１０に示すように、キャスト材を上肢に装着してもよい。図１０（Ａ）は、第２実施形態の第３変形例に係る光硬化型医療用固定材４Ａを患者に装着した状態を説明するための説明図である。図１０（Ｂ）は、第２実施形態の第４変形例に係る光硬化型医療用固定材４Ｂを患者に装着した状態を説明するための説明図である。図１０（Ｃ）は、第２実施形態の第５変形例に係る光硬化型医療用固定材４Ｃを患者に装着した状態を説明するための説明図である。
【００８５】
図１０（Ａ）に示すように、手関節周辺の骨折、捻挫や、手根骨骨折、橈骨遠位端骨折等の際に、前腕ギプスとして、上肢Ｙに装着され、患部等の固定又は支持をするために用いられる光硬化型医療用固定材４Ａでもよい。
【００８６】
光硬化型医療用固定材４Ａでは、光照射により、手関節周辺に位置する非光感受部４５Ａ（橈骨茎状突起（凸部）に相当する位置）、４５Ｂ（尺骨茎状突起（凸部）、尺骨頭（凸部）に相当する位置）、及び非光感受部４５Ｃ（光硬化型医療用固定材の端部に相当する位置）を非硬化状態に保ち、光硬化型医療用固定材４Ａにおいて非光感受部４５Ａ、４５Ｂ、４５Ｃ以外の部位となる光感受部４０は、硬化し患部等を固定する。そのため、前腕の回旋運動や、手関節の運動等を制限してしまうことを抑制でき、光硬化型医療用固定材４Ａを装着された人は光硬化型医療用固定材４Ａを装着していない場合と同等の状態で前腕に関する運動をすることができる。これにより、光硬化型医療用固定材４Ａによれば、光硬化型医療用固定材４Ａを光感受部４０により上肢Ｙを固定しつつ、手関節に位置する非光感受部４５Ａ、４５Ｂを硬化させないようにすることができる。そのため、手関節の動作を制限してしまうことを抑制でき、光硬化型医療用固定材４Ａを装着された人は光硬化型医療用固定材４Ａを装着していない場合と同等の状態で運動をすることができる。
【００８７】
また、患部等のリハビリテーションにおいて可動させる場合に、凸部ともなる手関節について光硬化型医療用固定材４Ａが接触することによる痛みを低減することが可能になる。更に、橈骨部（凸部）、及び尺骨部（凸部）（より具体的には、橈骨茎状突起、尺骨茎状突起、尺骨頭）に位置する部位も非硬化とすることで、例えば、下巻材が劣化してきた際に光硬化型医療用固定材４Ａが橈骨部、及び尺骨部等に接触しても痛みが出ることを抑制することができる。
【００８８】
また、図１０（Ｂ）に示すように、肘関節周辺の骨折、捻挫や、上腕骨顆上、顆部骨折、橈尺骨骨幹部、近位端骨折等の際に、上腕ギプスとして、上肢Ｙに装着され、患部等の固定又は支持をするために用いられる光硬化型医療用固定材４Ｂでもよい。光硬化型医療用固定材４Ｂでは、光照射により、手関節周辺（可動部）に位置する非光感受部４６Ａ、４６Ｂ、及び非光感受部４６Ｃ（光硬化型医療用固定材の端部に相当する位置）を非硬化状態に保ち、肘関節周辺に位置する非光感受部４６Ｄを非硬化状態に保つ。一方で、光硬化型医療用固定材４Ｂにおいて非光感受部４６Ａ、４６Ｂ、４６Ｃ、４６Ｄ以外の部位となる光感受部４１は光照射により硬化し患部等を固定する。そのため、光硬化型医療用固定材４Ｂでは、肘関節の運動や、前腕の回旋運動等を制限してしまうことを抑制でき、光硬化型医療用固定材４Ｂを装着された人は光硬化型医療用固定材４Ｂを装着していない場合と同等の状態で前腕を運動させることができる。
【００８９】
また、図１０（Ｃ）に示すように、主に母指基部の骨折、捻挫、舟状骨骨折等の際に、Ｔｈｕｍｂ  ｓｐｉｃａ  ｃａｓｔとして、上肢Ｙに装着され、患部等の固定又は支持をするために用いられる光硬化型医療用固定材４Ｃとしてもよい。光硬化型医療用固定材４Ｃでは、光硬化型医療用固定材４Ａと比し、特に、母指周辺（可動部）の非光感受部４７Ｃを光照射により非硬化状態に保つ。また、非光感受部４７Ａ、４７Ｂ、４７Ｄについても同様に光照射により非硬化状態を保つ。一方で、光硬化型医療用固定材４Ｃにおいて非光感受部４７Ａ、４７Ｂ、４７Ｃ、４７Ｄ以外の部位となる光感受部４２は光照射により硬化し患部等を固定する。これにより、光硬化型医療用固定材４Ｃでは、母指の運動等を制限してしまうことを抑制でき、光硬化型医療用固定材４Ｃを装着された人は光硬化型医療用固定材４Ｃを装着していない場合と同等の状態で母指等を運動させることができる。
【００９０】
また、図１１に示すように、キャスト材を体幹に装着してもよい。図１１は、第２実施形態の第６変形例に係る光硬化型医療用固定材５Ａを患者に装着した状態を説明するための説明図である。
【００９１】
図１１に示すように、胸腰椎骨折等の際に、体幹ギプスとして、体幹Ｚに装着され、患部等の固定又は支持をするために用いられる光硬化型医療用固定材５Ａでもよい。光硬化型医療用固定材５Ａでは、光照射により、手関節周辺（可動部）に位置する非光感受部５５Ａ、５５Ｂ、肘関節に位置する非光感受部５５Ｃ、腸骨部（主に、腸骨稜）（凸部）に位置する５５Ｄ、５５Ｅ、腹部に位置する非光感受部５５Ｆ、胸骨部（主に、胸骨体）（凸部）に位置する非光感受部５５Ｇを非硬化状態に保つ。一方で、光硬化型医療用固定材５Ａにおいて、非光感受部５５Ａ、５５Ｂ、５５Ｃ、５５Ｄ、５５Ｅ、５５Ｆ、５５Ｇ以外の部位となる光感受部５０は、光照射により硬化し患部等を固定する。また、凸部となる手関節、肘関節、腸骨、胸骨等の接触による痛みを抑制することができる。腹部においても、符号５５Ｆで示すように、非硬化状態を保つため、腹圧を抑制し、装着性を向上しつつ、光硬化型医療用固定材５Ａの固定を安定なものとすることができる。
【００９２】
以上、上記第２実施形態では、キャスト材として光硬化型医療用固定材を用いる例を説明したが、本発明に係る光硬化型医療用固定材は他の用途にも適用しうる。例えば、図示しないが、肩関節周辺の骨折、鎖骨の骨折の際には、光硬化型医療用固定材をｓｈｏｕｌｄｅｒ  ｓｐｉｃａ  ｃａｓｔとして、体幹に装着し、患部等の固定又は支持をするために用いることが可能である。この場合には、（非光感受部に相当する）肩関節（可動部）に位置する部位を遮光部材により遮光し、光照射後においても非硬化状態を保つことで、肩関節の運動を制限してしまうことを抑制できる。
【００９３】
また、股関節周辺の骨折、捻挫鎖骨骨折、大腿骨の際には、光硬化型医療用固定材をｈｉｐ  ｓｐｉｃａ  ｃａｓｔとして、体幹に装着し、患部等の固定又は支持をするために用いることが可能である。この場合には、（非光感受部に相当する）股関節（可動部）、膝関節（可動部）に位置する部位を遮光部材により遮光し、光照射後においても非硬化状態を保つことで、股関節、膝関節の運動を制限してしまうことを抑制できる。
【００９４】
また、あえて図示はしないが、非光感受部は、上記実施形態に限らず、例えば、被装着体が、光硬化型医療用固定材の装着部に創傷部と、皮膚疾患部と、を有していた場合には、光硬化型医療用固定材は、創傷部及び皮膚疾患部も非光感受部を備える。これにより、開放骨折や手術により創傷を伴う場合や骨折部位に皮膚病を伴う場合にも、光硬化型医療用固定材は、骨折や捻挫をした部位を固定しつつ、光硬化型医療用固定材の装着部における創傷や皮膚疾患の疼痛軽減を図ったり、処置や観察を行ったりすることができる。
【００９５】
なお、上記いずれの実施形態も、図１２に示すように、市販の装具を用いて、固定をより強化してもよい。図１２（Ａ）は、本発明の第２実施形態の第７変形例に係る光硬化型医療用固定材６Ａを患者に装着した状態を説明するための説明図である。また、図１２（Ｂ）は、本発明の第２実施形態の第８変形例に係る光硬化型医療用固定材６Ｂを患者に装着した状態を説明するための説明図である。
【００９６】
例えば、図１２（Ａ）に示すように、市販の装具６５を用い、装具６５に、光照射により硬化する光感受部６０を取り付けた光硬化型医療用固定材６Ａを構成してもよい（図１２（Ａ）参照）。また、光硬化型樹脂１００及び基材２００を含む光感受部６１を足に取り付けて光照射により硬化させつつ、足に履かせる形態の装具６６を装着してもよい（図１２（Ｂ）参照）。
【００９７】
なお、本実施形態に係る光感受部６０については、上述した光感受部１０と同様の構成とすることができ、光硬化型樹脂１００及び基材２００を含むものとすることが可能である。図１２（Ａ）、図１２（Ｂ）に示す光硬化型医療用固定材６Ａ、６Ｂにおいて、非光感受部を示していないが、非光感受部を設けることができ、この非光感受部には第１実施形態に係る非光感受部１５と同様の構成とすることができる。また、装具６５は、図１２（Ａ）に示すように下肢Ｘの膝部分（可動部）に取り付けられるものに限られず、人体の動作を制限しないものであればどのようなものでも採用することが可能である。
【００９８】
このように、本実施形態に係る光硬化型医療用固定材６Ａ、６Ｂでは、種々の装具と、光感受部とを組み合わせて用いることで、人体の固定を簡便、且つ広範囲に渡ってすることができる。
【００９９】
なお、上述した各実施形態に係る光硬化型医療用固定材では、手術等の後において人体に、チタン、チタンコート金属、又はステンレス等を有する金属プレート（ワイヤーやポリ乳酸等であってもよい）を埋めつつ、人体に装着することも可能である。上記金属プレート等を体内に埋めたとしても、骨同士が接着等をするまでに時間を要する場合に、上記金属プレートと、各実施形態に係る光硬化型医療用固定材とを併用することが特に有用である。
【０１００】
なお、上述した光硬化型医療用固定材は、光硬化型樹脂を含んで形成された固定材と、光硬化型樹脂の少なくとも一部を覆うための遮光部材と、を備えた光硬化型医療用固定材セットと捉えることもできる。
【実施例】
【０１０１】
＜光硬化型医療用固定材の作製＞
基材には、ガラス繊維を経糸１４本／２．５４ｃｍ、緯糸１１本／２．５４ｃｍ、目付け２７０ｇ／ｍ２、厚さ１．０２ｍｍで幅１００ｍｍにラッシェル編みしたテープ状基材を用いた。
【０１０２】
光硬化型樹脂には、フェニルグリシジルエーテル（メタ）アクリレートヘキサメチレンジイソシアネートウレタンプレポリマーであるＡＨ−６００（共栄社化学社製）99.9重量部をビーカーに採り６０℃に加温し、光重合開始剤イルガキュア７８４（ビス（シクロペンタジエニル）−ビス（２，６−ジフルオロ−３−（ピロール−１−イル）フェニル）チタニウム：ＢＡＳＦ社製)０．０５重量部を希釈溶剤としてＮ−メチル−２−ピロリドン０．０５重量部に溶解させたものを加えて調整した。
【０１０３】
基材に光硬化樹脂を２６０ｇ／ｍ２を含浸させ、それを６層積層した。１分間2kPa加圧し層間を密着させ芯材とした。
【０１０４】
緩衝材には、２層構造の不織布で、一つの層がポリエステル不織布（内側＝芯材側）で、もう一つの層がレーヨンとポリエステルの混紡不織布（外側＝肌側）で構成され、厚さ３．２ｍｍ、目付け３００ｇ／ｍ２のニードルパンチの２層式不織布を用いた。
芯材をカバー材（ポリエチレン／ナイロンラミネートフィルム）で覆い、緩衝材上に配置した。
【０１０５】
すなわち、光硬化型医療用固定材は、身体側から緩衝材、カバー材、芯材、カバー材の順に積層される構造となっている。
【０１０６】
＜光硬化型医療用固定材への光照射＞
室温２３℃、湿度６５％ＲＨに調整した測定室で、光源として、ライティングユニット・ＬＥＤ（アルケア社製）を用いた。照度は、アズワン社製ＬＭ−３３２を用いて１０ｃｍ四方面内を４分割してその中心点を測定し、４点の平均値が約０〜１５０００ｌｕｘとなるように光源とサンプルの距離を調整した。光硬化型固定材を１０ｃｍ四方に切り、夫々の照度について１分間固定材に対して照射した。
【０１０７】
＜評価方法＞
（３点曲げ強度）
測定にはオートグラフＡＧ-Ｄ（(株)島津製作所製・コンピューター計測制御式精密万能試験機）を用い、３点曲げ試験冶具を用いてＪＩＳ  Ｋ７１７１に準じて曲げ試験を行った。３点曲げ試験冶具は、支点間距離を５０ｍｍとした。試験速度は１００ｍｍ/ｍｉｎで行った。結果を表３及び図１３に示す。
なお、非光感受部については、上記と同等の光源を用いたとしても、３点曲げ最大強度は、０．４０〜０．８７Ｎ／ｃｍである。
【０１０８】
【表３】
0005945842.tif 000004
【産業上の利用可能性】
【０１０９】
本発明に係る光硬化型医療用固定材は、光照射により部分的に硬化させ、その他の部分を非硬化な状態にするものである。従って、上記光硬化型医療用固定材では、患部等の固定をしつつ、可動部又は凸部等については固定せずに機能の低下を抑制することができるようにされたものである。
【符号の説明】
【０１１０】
１Ａ〜Ｃ、２Ａ〜Ｃ、３Ａ〜Ｃ、４Ａ〜Ｃ、５Ａ、６Ａ、６Ｂ  光硬化型医療用固定材
１０、１１、１２、２０、２１、２２、３０、３１、３２、４０、４１、５０、６０、６１  光感受部
１５、１６、１７、２５、２６、２７、３５、３６、３７、４５、４６、４７、５５、６５、６６  非光感受部
１００  光硬化型樹脂
１５０  遮光部材
２００  基材
３００  カバー材
４００  緩衝材
Ｌ  凸部
Ｍ  可動部
Ｘ  下肢
Ｙ  上肢
Ｚ  体幹
【図１】
0005945842.tif 000005
【図２】
0005945842.tif 000006
【図３】
0005945842.tif 000007
【図４】
0005945842.tif 000008
【図５】
0005945842.tif 000009
【図６】
0005945842.tif 000010
【図７】
0005945842.tif 000011
【図８】
0005945842.tif 000012
【図９】
0005945842.tif 000013
【図１０】
0005945842.tif 000014
【図１１】
0005945842.tif 000015
【図１２】
0005945842.tif 000016
【図１３】
0005945842.tif 000017